(57)【要約】【課題】立体物の形状精度及び品質を向上する。【解決手段】立体モデルの３次元形状データに基づいて造形材料からなる材料層を造形台の積層面上で積層することによって立体物を作製する造形装置であって、前記積層面の表面形状を検出する検出手段と、前記検出手段による検出結果に基づいて、前記材料層の積層方向に対して垂直となる垂直積層面を有する土台を前記積層面上に形成する土台形成手段と、を有する。【選択図】図１
2018024176.tif 000002
【特許請求の範囲】
【請求項１】
立体モデルの３次元形状データに基づいて造形材料からなる材料層を造形台の積層面上で積層することによって立体物を作製する造形装置であって、
前記積層面の表面形状を検出する検出手段と、
前記検出手段による検出結果に基づいて、前記材料層の積層方向に対して垂直となる垂直積層面を有する土台を前記積層面上に形成する土台形成手段と、
を有することを特徴とする造形装置。
【請求項２】
前記土台形成手段は、土台材料からなる土台層を前記積層面上に積層することによって前記土台を形成する
ことを特徴とする請求項１に記載の造形装置。
【請求項３】
前記土台形成手段は、前記検出手段による検出結果に基づく前記土台の３次元形状データをスライスして得られる前記土台のスライスデータを取得する手段と、前記土台のスライスデータに基づき、前記土台層を形成する層形成手段と、を備える
ことを特徴とする請求項２に記載の造形装置。
【請求項４】
前記層形成手段は、前記立体モデルの３次元形状データをスライスして得られるスライスデータに基づき、前記材料層を形成する層形成手段を兼ねる
ことを特徴とする請求項３に記載の造形装置。
【請求項５】
前記土台形成手段は、前記検出手段による検出結果に基づき、前記土台層を前記積層面上に積層するときの積層方向、および／または、前記土台層の厚さを決定する
ことを特徴とする請求項２乃至４のいずれか１項に記載の造形装置。
【請求項６】
前記土台形成手段は、前記立体モデルの３次元形状データに基づいて、前記検出手段が検出する前記積層面の範囲を決定する
ことを特徴とする請求項１乃至５のいずれか１項に記載の造形装置。
【請求項７】
前記土台形成手段は、前記検出手段による検出結果、および／または、前記立体モデルの３次元形状データに基づいて、前記土台を形成する前記積層面上の領域を決定する
ことを特徴とする請求項１乃至５のいずれか１項に記載の造形装置。
【請求項８】
前記造形台の温度を検出する温度検出手段を有し、
前記土台形成手段は、前記温度検出手段により検出された温度が閾値以上のときに、前記土台を形成する
ことを特徴とする請求項１乃至７のいずれか１項に記載の造形装置。
【請求項９】
前記検出手段は、３つ以上の距離センサまたは圧力センサを有し、前記材料層の積層方向に垂直な面に対する前記積層面の傾き量を検出する
ことを特徴とする請求項１乃至８のいずれか１項に記載の造形装置。
【請求項１０】
立体物の作製を行う造形部まで前記造形台を搬送する搬送手段を有し、
前記検出手段は、ラインセンサを有し、前記造形台が前記造形部まで搬送される間に、前記ラインセンサで前記積層面の表面形状を検出する
ことを特徴とする請求項１乃至８のいずれか１項に記載の造形装置。
【請求項１１】
前記土台から前記立体物を剥離するための剥離層が形成される
ことを特徴とする請求項１乃至１０のいずれか１項に記載の造形装置。
【請求項１２】
前記剥離層は、水溶性またはアルカリ水溶性の材料からなる
ことを特徴とする請求項１１に記載の造形装置。
【請求項１３】
前記剥離層には、前記土台から前記立体物を剥離するための切れ目が設けられている
ことを特徴とする請求項１１または１２に記載の造形装置。
【請求項１４】
前記土台形成手段は、土台材料からなる土台層を前記積層面上に積層することによって前記土台を形成し、
前記剥離層は、前記垂直積層面を有する前記土台層、および／または前記立体物を作製する際に１番目に積層される前記材料層を含む
ことを特徴とする請求項１１乃至１３のいずれか１項に記載の造形装置。
【請求項１５】
立体モデルの３次元形状データに基づいて造形材料からなる材料層を造形台の積層面上で積層することによって立体物を作製する造形方法であって、
立体物の作製に先立ち、前記積層面の表面形状を検出手段により検出する工程と、
前記検出手段による検出結果に基づいて、前記材料層の積層方向に対して垂直となる垂直積層面を有する土台を前記積層面上に形成する工程と、
を含むことを特徴とする造形方法。
【発明の詳細な説明】
【技術分野】
【０００１】
本発明は、造形装置及び造形方法に関するものである。
【背景技術】
【０００２】
近年、アディティブマニファクチャリング（ＡＭ）、３次元プリンタ、ラピッドプロトタイピング（ＲＰ）等と呼ばれる立体造形技術が注目を集めている（本明細書ではこれらの技術を総称してＡＭ技術と呼ぶ）。ＡＭ技術は、立体モデルの３次元形状データをスライスして複数のスライスデータを生成し、スライスデータに基づいて、造形材料からなる材料層を造形台上に順次積層して固着することで、３次元物体（立体物）を作製する技術である。
特許文献１では、電子写真方式で積層する造形方法であって、３次元物体の断面に対応する材料層の厚みを変化させることにより、造形時の高さ方向の補正が容易で、形状の精度を出すことができる造形方法が開示されている。また、特許文献２では、造形物を形成する層上の凸部を検出し、凸部が所定高さ以上であった場合に直上に設けられる層の厚さを調整する装置について開示されている。
【先行技術文献】
【特許文献】
【０００３】
【特許文献１】特開２００３−４８２５３号公報
【特許文献２】特開２０１５−１１２７５２号公報
【発明の概要】
【発明が解決しようとする課題】
【０００４】
しかしながら、従来の技術では、以下のような課題が生じることが懸念される。
造形台においては、造形時に材料層との接着性を良くするために加熱されることで熱変形し、表面形状が変形してしまう場合がある。また、造形台自体の加工精度が低い場合がある。材料層は造形台の表面形状に沿って積層されるため、このような場合には、造形物の形状精度も低くなってしまう課題が生じる。特許文献１、２はいずれも材料層の厚さを調整することにより、造形物の高さを補正している。しかし、造形台は一般的に樹脂材質であり、寸法公差は０．１〜０．３ｍｍ程度である。これに対して材料層１層の厚さは２０μｍ程度であり、特許文献１、２のように層の厚さを調整するだけでは上記課題を解決することは困難である。また、特許文献１、２はいずれも造形台の表面形状の補正方法については考慮されていない。
【０００５】
本発明は上記したような事情に鑑みてなされたものであり、立体物の形状精度及び品質を向上することを目的とする。
【課題を解決するための手段】
【０００６】
本発明の第１態様は、
立体モデルの３次元形状データに基づいて造形材料からなる材料層を造形台の積層面上で積層することによって立体物を作製する造形装置であって、
前記積層面の表面形状を検出する検出手段と、
前記検出手段による検出結果に基づいて、前記材料層の積層方向に対して垂直となる垂直積層面を有する土台を前記積層面上に形成する土台形成手段と、
を有することを特徴とする造形装置を提供する。
【０００７】
本発明の第２態様は、
立体モデルの３次元形状データに基づいて造形材料からなる材料層を造形台の積層面上で積層することによって立体物を作製する造形方法であって、
立体物の作製に先立ち、前記積層面の表面形状を検出手段により検出する工程と、
前記検出手段による検出結果に基づいて、前記材料層の積層方向に対して垂直となる垂直積層面を有する土台を前記積層面上に形成する工程と、
を含むことを特徴とする造形方法を提供する。
【発明の効果】
【０００８】
本発明によれば、立体物の形状精度及び品質を向上することが可能となる。
【図面の簡単な説明】
【０００９】
【図１】実施例の造形装置のシステム構成を示す概略図
【図２】実施例の造形装置による造形プロセスを示すフローチャート
【図３】実施例の造形台の積層面の表面形状の補正方法について説明するための図
【図４】造形台の積層面が凸形状の場合について示す図
【発明を実施するための形態】
【００１０】
以下、この発明を実施するための形態を図面を参照して例示的に説明する。ただし、以下の実施形態に記載されている各部材の寸法、材質、形状、その相対配置など、各種制御の手順、制御パラメータ、目標値などは、特に特定的な記載がない限りは、この発明の範囲をそれらのみに限定する趣旨のものではない。
本発明は、積層造形技術（ＡＭ技術）、すなわち、造形材料を２次元に配置して層状に積層することによって３次元物体（立体物）を作製する技術を採用した造形装置に関する。
造形材料としては、作製する立体物の用途・機能・目的などに応じてさまざまな材料を選択することができる。本明細書では、造形目的の３次元物体を構成する材料を「構造材料」と呼び、構造材料で形成される部分を構造体と呼ぶ。作製途中の構造体を支持するためのサポート体（例えばオーバーハング部を下から支える柱）を構成する材料を「サポート材料」と呼ぶ。また両者を特に区別する必要がない場合には、単に「造形材料」という用語を用いる。構造材料としては、例えば、ＰＥ（ポリエチレン）、ＰＰ（ポリプロピレン）、ＡＢＳ、ＰＳ（ポリスチレン）など、熱可塑性の樹脂を用いることができる。また、サポート材料としては、構造体からの除去を簡単にするため、熱可塑性と水溶性を有する材料を好ましく用いることができる。サポート材料としては、例えば、糖質、ポリ乳酸（ＰＬＡ）、ＰＶＡ（ポリビニルアルコール）、ＰＥＧ（ポリエチレングリコール）などを例示できる。
【００１１】
また、本明細書では、作製目的とする立体モデルの３次元形状データを積層方向に沿って複数層にスライスして得られるデジタルデータを「スライスデータ」と呼ぶ。スライスデータは、必要に応じて、サポート材料のデータなどの情報を付加して生成される。スライスデータに基づき造形材料で形成される層を「材料層」と呼ぶ。「材料層」は、用いる造形材料の種類に応じて、１又は複数の材料層を組み合わせて形成される粒子の層である。
また、造形装置を用いて作製しようとする立体モデル（つまり造形装置に与えられる３次元形状データが表す３次元物体）を「造形対象物」と呼ぶ。また、造形装置で作製された（出力された）３次元物体（立体物）を「造形物」と呼ぶ。造形物がサポート体を含む場合において、サポート体を除いた部分が造形対象物を構成する「構造体」となる。なお、本明細書においては、特に説明がない限り、「材料層」が積層される方向を単に積層方向という。
【００１２】
［実施例］
図１は、本発明に係る実施例の造形装置１のシステム構成を示す概略図である。
（装置構成について）
造形装置１は、装置部１００と、制御部２００と、データ作成部３００と、操作／表示部４を有する。
装置部１００は、スライスデータに基づいて形成した造形材料からなる粒子状の材料層６を、加熱により一体化したシート状にし、造形台５の積層面５０１に順次積層することにより造形物７を作製する装置であり、いわゆる３Ｄプリンタに相当する。
【００１３】
制御部２００は、装置部１００における様々な処理に対する制御を行う。具体的には、ＣＰＵやメモリ、記録デバイスを備えたコンピュータで構成されており、記憶されたプログラムをＣＰＵが実行、処理することにより装置部１００を制御する。
データ作成部３００は、立体モデルおよび後述する土台８の３次元形状データの作成や、立体モデルおよび土台８を所定の厚さでスライスして得られるスライスデータの作成や処理を行う。
操作／表示部４は、ユーザからの指示の受付やユーザへの情報提示を行う。具体的には、電源のＯＮ／ＯＦＦ制御、装置の各種設定、動作指示などのユーザによる入力操作や、各種設定画面、エラーメッセージ、動作状況などのユーザへの情報表示や閲覧を行うディスプレイに相当する。
【００１４】
装置部１００について、以下に詳しく説明する。
装置部１００は、材料層形成部（層形成手段）１１０と、担持体１２０と、加熱部１３０と、ステージ１４０と、造形台搬入部１５０と、造形台検出部１６０と、造形部１７０と、加圧部１８０と、温度検出部１９０を有する。
【００１５】
材料層形成部１１０は、立体モデルの３次元形状データに基づいてデータ作成部３００で作成されたスライスデータに基づき、電子写真プロセスを利用して材料層６の形成を行う機能と、形成した材料層６を担持体１２０へ転写する機能を有する。ここで、電子写真プロセスは、感光体を帯電し、帯電した感光体を露光することによって感光体表面に潜像を形成し、潜像に現像剤粒子を付着させ、感光体表面に現像剤像を形成するという一連のプロセスによって、所望の画像を形成する手法である。造形システムでは、現像剤の代わりに、造形材料からなる粒子を用いるが、電子写真プロセスの基本原理は２Ｄプリンタのものとほぼ同じである。
【００１６】
担持体１２０は、材料層形成部１１０で形成された材料層６を担持して造形部１７０へと搬送する。担持体１２０として本実施例では、ポリイミドなどの樹脂材料からなる無端状のベルト部材を用いた。担持体１２０は、複数のローラにより張架されている。また、ベルト表面はフィルミング防止層としてフッ素コーティングが施されているのが望ましい。また、担持体１２０として、ステンレスなどの金属材料からなる無端状のベルト部材を用いてもよい。また、担持体１２０を張架する複数のローラのうち少なくともいずれかは、担持体１２０の駆動や停止を行う駆動ローラである。
【００１７】
加熱部１３０は、担持体１２０により搬送された材料層６を均一に加熱してシート化するヒータである。加熱部１３０は、材料層６のうち、積層面５０１上（積層面上）の造形物７の上面に積層される面側を、熱伝達および輻射により加熱する。加熱部１３０はさらに、造形台５の積層面５０１を加熱するように構成されるものであってもよい。加熱部１３０は、このような構成に限るものではなく、担持体１２０の裏面（内周面）側に配置されることで、担持体１２０を介して材料層６を加熱するものであってもよい。
【００１８】
ステージ１４０は、造形台５を保持し、造形台搬入部１５０と造形台検出部１６０と造形部１７０の間で造形台５を搬送する機能を有する。さらにステージ１４０は、造形部１
７０において、造形台５を積層方向や積層方向に垂直な方向（本実施例では水平方向）に移動させて造形台５の位置制御を行う。ステージ１４０の駆動機構として本実施例では、ボールねじやＵＳＭ（Ｕｌｔｒａ  Ｓｏｎｉｃ  Ｍｏｔｏｒ）などを用いた駆動機構を使用する。また、ステージ１４０はエンコーダなどの位置検出手段を有しており、後述するステージ制御部２０５により位置制御を行う。
造形台搬入部１５０では、ステージ１４０上に造形台５が設置される。造形台５として本実施例では、ＡＢＳなどの樹脂材料からなるプレート部材を用いた。造形台５は、不図示の金属製の搬送プレートに固定した状態でステージ１４０に設置した。
【００１９】
材料層６は、金属製のステージ１４０の表面上には接着し難い。このため、樹脂材料からなる造形台５の積層面５０１に、材料層６を接着するのが望ましい。このとき、材料層６を積層面５０１に接着しやすくするために、造形台５を加熱しておくとよい。
したがって、造形台５を予め加熱してから材料層６を積層するのが好ましく、造形台５を加熱するための加熱手段を造形台搬入部１５０内に設けるとよい。その場合、前述した加熱部１３０を造形台搬入部１５０の上方に配置することにより、担持体１２０上の材料層６と造形台５を同時に加熱する構成としてもよい。これにより、加熱手段の数を削減することができ、装置全体の小型化及び低コスト化を図ることができる。
【００２０】
造形台検出部１６０では、表面形状検出部１６１によりステージ１４０上に設置された造形台５の積層面５０１の表面形状の検出を行う。表面形状検出部１６１として本実施例では、三角測距方式を用いた距離センサを３つ配置して、基準面１８３に対する、積層面５０１の表面形状の一次傾き量の検出を行う。本実施例では、積層面５０１が、基準面１８３に対して平面状に傾いた状態にあるものとする。３つの距離センサは、予め基準面１８３に対して校正されており、その基準面１８３に対する傾き量が検出される。
ここで、基準面１８３は、積層方向に対して垂直な垂直面に平行な面であり、本実施例では、後述する加圧部１８０の加圧板１８１の表面とした。しかしながら基準面１８３は、加圧板１８１の表面に限るものではなく、積層方向に対して垂直な垂直面に平行な面であればよく、例えばステージ１４０上における造形台５の設置面であってもよい。
【００２１】
また、造形台５の積層面５０１の表面形状の凹凸を検出する場合には、ラインセンサを利用する方法を用いるとよい。この場合、ステージ１４０を駆動し、例えば造形台搬入部１５０から造形部１７０に向けて造形台５を搬送しながら積層面５０１の表面形状を検出することができる。これにより、造形装置１による造形物の作製時間の短縮化を図ることができる。
また、その他の検出方法として、３つの圧力センサを配置して各圧力センサの値を距離に換算する方法を例示できる。その場合、詳しくは後述するが、本実施例の造形部１７０においてステージ１４０の位置制御用に設けた圧力センサを用いることができる。また、積層面５０１の表面形状を検出するために、造形台検出部１６０を別途設ける必要はなく、造形台搬入部１５０や造形部１７０に表面形状検出部１６１を設置してもよい。
【００２２】
造形部１７０は、担持体１２０により搬送された材料層６を、造形台５の積層面５０１、又は積層面５０１上の造形物７の上面に順次積層して、造形物７を作製する機能を有する。造形部１７０では、ステージ１４０を積層方向に駆動することにより、積層面５０１、又は積層面５０１上の造形物７と、担持体１２０上の材料層６とを接着させて積層を行う。このとき、加圧部１８０により材料層６を加圧することにより、積層面５０１、又は積層面５０１上の造形物７と、担持体１２０上の材料層６とを密着させることができ、接着力を向上させることができる。さらに密着性を向上させるために、加圧部１８０をステージ１４０側に移動可能に構成してもよい。
【００２３】
本実施例では、ステージ１４０の積層方向の位置制御に関して、不図示の圧力センサ、
及びステージ１４０に設けたエンコーダを用いて行っている。
積層時におけるステージ１４０の積層方向の位置制御について以下に説明する。
まず、ステージ１４０を駆動して、ステージ１４０と加圧部１８０を押し付けたときの圧力値を検出し、その圧力値が所定の圧力値になったときに、ステージ１４０の駆動を停止してエンコーダ値を検出する。その検出値を次の積層位置にフィードバックすることによりステージ１４０の位置制御を行う。積層時の圧力値を検出する理由は、加圧力が大きいと造形物７がつぶれて形状精度が低下してしまうためであり、微小圧力で積層するのが望ましい。
また、加圧部１８０に温度制御手段を設けることにより、材料層６の接着時または担持体１２０からの剥離時において、材料層６の温度を制御することができる。接着時においては、材料層６を加熱することにより、接着力がより向上して造形物７の強度も増加する。また、剥離時においては、材料層６を冷却することにより、担持体１２０と材料層６間の剥離力が向上する。
【００２４】
温度検出部１９０は、造形台５の温度検出を行う。温度検出部１９０として本実施例では、熱電対などの温度センサを造形台５に設置して造形台５の温度を測定する。温度センサの設置箇所としては、造形台５の積層面５０１が好ましい。しかし、造形台５に直接熱電対などの温度センサを設置することが困難である場合は、代表温度として、例えば造形台５の裏面側やステージ１４０などに温度センサを設置しても構わない。
上述したように、造形台５と材料層６の接着力を向上するために、造形台５を予め加熱しておくことが望ましい。しかし、加熱することにより造形台５が熱変形し、表面形状が変形してしまう可能性がある。そのため、造形台５の積層面５０１の表面形状の検出を行った後に加熱を行ってしまうと、加熱により表面形状が変化する可能性がある。そこで、造形台５が所定温度以上（閾値以上）に加熱されたタイミングで積層面５０１の表面形状を検出し、後述する積層面５０１の補正を行うのが望ましい。所定温度としては、造形台５の軟化温度が望ましく、本実施例では、ＡＢＳ樹脂の軟化温度である７０〜８０℃付近に設定するのが望ましい。
【００２５】
制御部２００は、制御統括部２０１と、材料層形成制御部２０２と、担持体制御部２０３と、加熱制御部２０４と、ステージ制御部２０５と、表面形状検出制御部２０６を有する。
制御統括部２０１は、装置部１００の装置全体における各制御部を統合して制御する部分であり、各制御部の駆動タイミングなどを制御統括部２０１により制御する。例えば、制御統括部２０１は、温度検出部１９０による温度検出のＯＮ／ＯＦＦ制御を行う。また、温度検出部１９０の検出温度がユーザの設定した温度以上となったときに、後述する表面形状検出制御部２０６に指令を伝送して表面形状検出部１６１による造形台５の積層面５０１の表面形状の検出を行う。
材料層形成制御部２０２は、材料層形成部１１０の駆動のＯＮ／ＯＦＦ制御やタイミング制御を行う。また、操作／表示部４でユーザが入力した設定条件は、制御統括部２０１を介して材料層形成制御部２０２へ入力され、材料層形成制御部２０２はその設定条件を材料層形成部１１０に出力する。
【００２６】
担持体制御部２０３は、担持体１２０の駆動のＯＮ／ＯＦＦ制御や駆動速度の制御の他、ベルトのテンション制御や蛇行調整等を行う。
加熱制御部２０４は、加熱部１３０による加熱のＯＮ／ＯＦＦ制御や、ユーザによる設定温度条件に基づき加熱部１３０の温度制御を行う。
ステージ制御部２０５は、制御統括部２０１から入力された目標移動量や位置情報に基づき、造形物７の面方向および高さ方向（積層方向）の位置制御を行う。また、積層時に検出した圧力値やエンコーダ値をフィードバックして、次の積層位置の決定を行う。なお、材料層形成制御部２０２、担持体制御部２０３、ステージ制御部２０５はそれぞれ、制
御統括部２０１により駆動タイミングが合うように制御される。
表面形状検出制御部２０６は、制御統括部２０１から入力された検出設定値に基づき、表面形状検出部１６１による検出のＯＮ／ＯＦＦ制御を行う。また、表面形状検出制御部２０６は、制御統括部２０１によりステージ制御部２０５と駆動タイミングが合うように制御されており、ステージ１４０が造形台検出部１６０に移動したタイミングで表面形状検出部１６１により積層面５０１の表面形状の検出を行う。また、表面形状検出制御部２０６は、表面形状検出部１６１による検出結果を後述するデータ作成部３００へと伝送する。
【００２７】
データ作成部３００は、３次元形状データ作成部３０１と、スライスデータ作成部３０２を有する。
３次元形状データ作成部３０１は、立体モデルの３次元形状データの作成を行う。また、既に３次元形状データが存在する場合は、３次元形状データ作成部３０１は外部から入力された３次元形状データのファイルの処理を行う。そのファイル形式は問わないが、例えばＳＴＬ（ＳｔｅｒｅｏＬｉｔｈｏｇｒａｐｈｙ）ファイル形式を好ましく用いることができる。また、後述する土台８の３次元形状データの作成についてもデータ作成部３００で行う。なお、土台８の３次元形状データの作成方法の詳細については後述する。作成および処理された３次元形状データは後述するスライスデータ作成部３０２へと伝送される。
【００２８】
スライスデータ作成部３０２では、３次元形状データ作成部３０１で作成した立体モデルの３次元形状データを、ユーザにより設定された材料層６の厚さ情報に基づきスライスして複数のスライスデータの作成を行う。さらに、スライスデータ作成部３０２では、立体モデルの３次元形状データまたは上下層のスライスデータを解析して、オーバーハング部（宙に浮く部分）の有無を判断し、必要に応じてスライスデータにサポート材料用の像を追加する。また、スライスデータ作成部３０２では、３次元形状データ作成部３０１で作成した土台８の３次元形状データについても立体モデルと同様にスライスデータの作成を行う。なお、土台８のスライスデータの作成方法の詳細については後述する。作成したスライスデータは、材料層形成部１１０へと伝送される。
なお、データ作成部３００は、必ずしも造形装置１が備えている必要はない。例えば、造形装置１が、表面形状検出部１６１による検出結果を送受信が可能な外部装置に送信し、外部装置にて土台８の３次元形状データやスライスデータを作成し、これらのデータを造形装置１が受信して取得する構成であっても良い。
【００２９】
（装置プロセスについて）
図２は、本実施例の造形装置１による造形プロセスを示すフローチャートである。図２のフローチャートを用いて造形装置１による造形プロセスについて以下に説明する。
ステップＳ１０１では、３次元形状データ作成部３０１に立体モデルの３次元形状データの入力処理を行う。入力処理や後述するスライスデータの作成における条件設定などは、操作／表示部４を用いてユーザが行う。
ステップＳ１０２では、ステップＳ１０１で入力された立体モデルの３次元形状データから複数のスライスデータの作成処理を行う。
【００３０】
ステップＳ１０３では、造形物７を造形するための造形台５を造形台搬入部１５０へ搬入し、ステージ１４０への設置を行う。本実施例では、造形台５は樹脂材料からなり、造形物７ごとに交換可能に構成されている。その理由としては、造形する際に材料層６と造形台５は熱圧着により結合するためであり、造形台５はステージ１４０に対して着脱可能に保持される構成が望ましい。
ステップＳ１０４では、ステップＳ１０３の後に、ステージ１４０を造形台搬入部１５０から造形台検出部１６０へと移動し、表面形状検出部１６１による造形台５の積層面５
０１の表面形状の検出処理を行う。その後、ステージ１４０は造形台検出部１６０から造形部１７０へと移動する。また、ステップＳ１０４では、造形台５の加熱処理を行った後に、表面形状検出部１６１により造形台５の積層面５０１の表面形状を検出する。その場合、造形台５が所定温度以上となったときに、表面形状検出部１６１により表面の検出処理を行う。
【００３１】
ステップＳ１０５では、ステップＳ１０４の検出結果に基づき、造形台５の積層面５０１の表面の補正の有無に関する判断処理を行う。ステップＳ１０５で補正が必要と判断した場合は次のステップＳ１０６に移る。一方、ステップＳ１０５で補正が不要と判断した場合は、ステップＳ１０６〜Ｓ１１０までの処理は省略されステップＳ１１１に移る。
ステップＳ１０６では、ステップＳ１０４で検出した造形台５の積層面５０１の表面形状の検出結果に基づき、土台８の３次元形状データの作成処理を行う。なお、土台８の３次元形状データの作成方法の詳細については後述する。
【００３２】
ステップＳ１０７では、ステップＳ１０６で作成した土台８の３次元形状データに基づき、土台８のスライスデータの作成処理を行う。なお、土台８のスライスデータの作成方法の詳細については後述する。
ステップＳ１０８では、ステップＳ１０７で作成した土台８のスライスデータに基づき、材料層形成部１１０によりスライスデータに対応した層である犠牲層（土台層）８１の形成処理を行う。
ステップＳ１０９では、ステップＳ１０８で形成した犠牲層８１を担持体１２０により造形部１７０まで搬送し、造形台５の積層面５０１への積層処理を行う。
ステップＳ１１０では、次に積層する犠牲層８１の有無に関する判断処理を行う。次の犠牲層８１が有る場合はステップＳ１０８に戻り、ステップＳ１０８、１０９の処理を繰り返す。一方で、次の犠牲層８１が無い場合は次のステップＳ１１１に移る。
【００３３】
ステップＳ１１１では、ステップＳ１０２で作成した立体モデルのスライスデータに基づき、材料層形成部１１０により材料層６の形成処理を行う。なお、造形物７の材料層６の形成方法については、犠牲層８１のときと同様である。
ステップＳ１１２では、ステップＳ１１１で形成した造形物７の材料層６を担持体１２０により造形部１７０まで搬送し、造形台５の積層面５０１、または犠牲層８１の最上面８０１、または造形物７の最上面に材料層６を積層する積層処理を行う。なお、造形物７の材料層６の積層方法については、犠牲層８１のときと同様である。
ステップＳ１１３では、次に積層する造形物７の材料層６の有無に関する判断処理を行う。次の造形物７の材料層６が有る場合はステップＳ１１１に戻り、ステップＳ１１１、Ｓ１１２の処理を繰り返す。一方で、次の造形物７の材料層６が無い場合は作業を終了する。
【００３４】
（造形台の表面形状の補正方法について）
図３Ａ〜図３Ｅは、本実施例の造形装置１による造形台５の積層面５０１の表面形状の補正方法について説明するための概略図である。
図３Ａは、土台８の３次元形状データの作成方法について説明するための図、図３Ｂは、土台８のスライスデータの作成方法について説明するための図、図３Ｃは、犠牲層８１の積層方法について説明するための図である。図３Ｄは、材料層６の積層方法について説明するための図、図３Ｅは、図３Ｄに示す犠牲層８１の詳細について説明するための図である。
【００３５】
まず、土台８の３次元形状データの作成が、表面形状検出部１６１により検出した造形台５の積層面５０１の一次傾き量に基づき行われる。
図３Ａでは、造形台５の積層面５０１上に土台８を配置したと仮定したときの仮想図を
示している。図３Ａの仮想図に示す土台８においては、最下面８０２が、造形台５の積層面５０１に接触して配置され、最上面８０１が、基準面１８３となる加圧板１８１の面に対する高低差が、最下面８０２の高低差よりも小さくなるように配置される。また、最上面８０１が基準面１８３に対して平行になるように配置される。
このように設定される土台８に基づいて、３次元形状データが作成される。
【００３６】
ここで、土台８の３次元形状データを作成する際に、造形台５の積層面５０１全体を常に考慮する必要はなく、立体モデルの３次元形状データに基づき土台８の造形範囲（土台を形成する積層面５０１上の領域）を決定してもよい。つまり、少なくとも造形物７の造形範囲に土台８の作成を行うものであればよい。これにより、土台８の造形範囲を最小限に抑えることができ、造形時間や造形コストの短縮化を図ることができる。このとき、表面形状検出部１６１が造形台５の積層面５０１の表面形状を検出する範囲においても、造形台５の積層面５０１全体ではなく、立体モデルの３次元形状データに基づき、造形範囲同様に決定されるとよい。
【００３７】
また、土台８の３次元形状データを作成する際に、表面形状検出部１６１が検出した造形台５の積層面５０１の表面形状に基づき、土台８の造形範囲を決定してもよい。これにより、積層面５０１の表面形状の凹凸が小さい領域を優先的に選択して造形範囲とすることができる。また、土台８の３次元形状データを作成する際に、立体モデルの３次元形状データ、および、検出した造形台５の積層面５０１の表面形状に基づき、土台８の造形範囲を決定してもよい。
これによっても、積層面５０１の表面形状の凹凸が小さい領域を優先的に選択して造形範囲とすることができる。
この場合、積層面５０１の表面形状を検出して土台８の造形範囲を決定した後、決定した土台８の造形範囲に合わせて、作成した立体モデルのスライスデータを補正することで、積層面５０１上の所望の領域に、造形物７を造形することができる。このとき、決定した土台８の造形範囲に合わせて、積層方向に垂直な方向にステージ１４０を移動させることにより、積層面５０１上の所望の領域に、造形物７を造形するものであってもよい。
また、立体モデルの３次元形状データをレイアウトし直して、立体モデルのスライスデータを作成することにより、積層面５０１上の所望の領域に、造形物７を造形するものであってもよい。
このように、積層面５０１の表面形状の凹凸が小さい範囲を造形範囲とすることにより、犠牲層８１の数を小さくすることができ、積層時間を短くすることができる。
【００３８】
次に、作成した土台８の３次元形状データを、複数のスライスデータに分割するスライス処理を行う。
図３Ｂでは、造形台５の積層面５０１上の土台８を、表面形状検出部１６１により検出された積層面５０１の表面形状に沿って、複数の層８０３にスライスしたと仮定したときの仮想図を示している。
このとき、基準面１８３に沿ってスライス処理を行うものであってもよいが、その場合、犠牲層８１の積層時に、担持体１２０が造形台５の積層面５０１に接触して積層面５０１が変形してしまう可能性がある。積層面５０１が変形すると、土台８の最上面８０１が基準面１８３に対してずれてしまい、それに伴い造形物７の形状精度が低下してしまうことが懸念される。このため、本実施例では、積層面５０１の表面形状に沿ってスライスすることとし、表面形状検出部１６１により検出された積層面５０１の表面に垂直となる方向を、犠牲層８１の積層方向としている。
【００３９】
また、犠牲層８１の厚さについては、材料層６と同様で構わない。なお、本実施例のように積層面５０１の表面形状に沿ってスライス処理を行うことで得られた犠牲層８１を積層した場合、後述する図３Ｄに示すように、土台８の最上面８０１側では、犠牲層８１と
材料層６との間に段差ができてしまうことが懸念される。層間に段差ができてしまうと、造形物７の形状精度に影響する可能性があるため、段差によるずれ量が要求仕様に対して小さくなるように、犠牲層８１の厚さが個々に設定されるものであるとよい。これにより、犠牲層８１の最適化を行うことができ、造形精度の向上と造形時間の短縮化を実現することができる。
【００４０】
図３Ｃでは、造形台５上に形成した犠牲層８１を加圧部１８０で加圧している状態を示している。
図３Ｃに示すように、作成した土台８のスライスデータに基づき、犠牲層８１を形成し、その犠牲層８１を造形台５の積層面５０１もしくは造形された犠牲層８１上に順次積層する。犠牲層８１を造形台５の積層面５０１もしくは造形された犠牲層８１上に積層するときには、ステージ１４０を加圧部１８０側に駆動して積層する。
その際に、担持体１２０であるベルトは、厚さが薄く低剛性であるため、造形台５の積層面５０１の表面形状に沿った形に変形する。そのため、造形台５の積層面５０１の表面形状に合わせて犠牲層８１が積層される。加圧部１８０は、加圧板１８１と弾性体１８２から構成されており、弾性体１８２が担持体１２０の変形を吸収することにより、犠牲層８１全体を加圧することができる。
図３Ｃに示すように、犠牲層８１を順次積層していくことにより、造形台５の積層面５０１の傾きが次第に補正されて、基準面１８３となる加圧板１８１に対して平行に近づくようになる。それに合わせて担持体１２０であるベルトの変形についても改善される。
【００４１】
図３Ｄでは、造形台５の積層面５０１上に犠牲層８１を積層し土台８を形成した後、造形物７の材料層６を形成して、土台８の最上面８０１に材料層６を順次積層する様子を示している。図３Ｅでは、図３Ｄに示す犠牲層８１について示している。犠牲層８１が積層されることで形成された土台８の最上面８０１を、図３Ｅでは点線で示している。また、図３Ｅに示す犠牲層８１の最下面８０２は、造形台５の積層面５０１に接触する面である。
犠牲層８１の積層が終わると、形成された土台８の最上面８０１は、基準面１８３に平行に補正された状態となる。これにより、材料層６の積層の際には、材料層６を基準面１８３に平行にした状態で積層することができる。
【００４２】
ここで、土台８の材料（土台材料）として、本実施例ではサポート材料を用いているが、これに限るものではなく、構造材料を用いても構わない。しかし、造形後、土台８の最上面８０１上に形成した造形物７を最上面８０１から剥離し易くするために、土台８の最上面８０１を含む層または造形物７の最下面を含む層においては、剥離層としてサポート材料で形成することが望ましい。そのサポート材料が水溶性またはアルカリ水溶性であれば、サポート材料で形成される層を溶かして除去することができるので、造形物７を造形台５上から容易に剥離することができる。ここで、造形物７の最下面を含む層は、造形物７の材料層６のうち１番目に形成される材料層６である。
また、土台８の最上面８０１または造形物７の最下面を含む剥離層に、例えばクラック（亀裂）などの切れ目が入っている構成でも構わない。この場合、土台８の最上面８０１または造形物７の最下面を含む層が構造材料で構成されていても、造形物７と犠牲層８１を分離し易くすることができる。
【００４３】
以上説明したように本実施例では、立体物の作製に先立ち、積層方向に対して垂直な、すなわち基準面１８３となる加圧板１８１に対して平行となる最上面８０１（垂直積層面）を有する土台８を造形台５上に形成している。
これにより、造形物７の材料層６は、基準面１８３となる加圧板１８１に対して平行に積層することができるので、造形物７の形状精度を向上することができ、造形物７の品質を向上することが可能となる。
【００４４】
なお、本実施例では、造形台５の積層面５０１が、基準面１８３に対して平面状に傾いた場合における、積層面５０１の表面形状の補正方法について説明したが、これに限定するものではない。
図４は、造形台５の積層面５０１が凸形状の場合について示す図である。これ以外にも、例えば、造形台５の積層面５０１の表面形状が凹凸形状であるといった高次な傾きをもつ（高次式で表される）ような表面形状に対しても、上記と同様な処理を行うことで、上記同様の効果を得ることが可能である。
【００４５】
また、本実施例では、材料層形成部１１０が、材料層６を形成する層形成手段と、犠牲層８１を形成する層形成手段を兼ねるものであったが、これに限るものではない。すなわち、犠牲層８１を形成する層形成手段が材料層形成部１１０とは別に配設されるものであってもよい。
また、本実施例では、材料層形成部１１０により形成された犠牲層８１を積層することで土台８を形成するものであったが、これに限るものではない。すなわち、立体物の作製に先立ち、積層方向に対して垂直となる垂直積層面を有する土台が、造形台５の積層面５０１上に形成されるものであればよい。
また、本実施例では、犠牲層８１が、材料層６同様、装置部１００と制御部２００とデータ作成部３００を用いて形成される場合について説明したが、これに限るものではない。装置部１００と制御部２００とデータ作成部３００とは別に設けられた土台形成手段により、立体物の作製に先立ち、積層方向に対して垂直となる垂直積層面を有する土台が、造形台５の積層面５０１上に形成されるものであればよい。
【符号の説明】
【００４６】
１…造形装置、５…造形台、５０１…積層面、８…土台、８０１…最上面、１６１…表面形状検出部
【図１】
2018024176.tif 000003
【図２】
2018024176.tif 000004
【図３】
2018024176.tif 000005
【図４】
2018024176.tif 000006